(57)【特許請求の範囲】
【請求項１】
メッシュ式衛生看護ベッドであって、メッシュ織物と支持フレームを有し、
前記メッシュ織物は経糸と緯糸の交織による複数の網孔を有する織物であり、
前記メッシュ織物の前記網孔を構成する１組の対向する前記経糸および１組の対向する前記緯糸のそれぞれの間の距離が前記網孔を構成する前記経糸と緯糸の直径の２〜６倍であり、
１つの網孔ユニットの開口部の面積が前記網孔ユニットの全体面積の３５％−７８％であり、  
前記メッシュ織物の前記網孔を構成する１組の対向する前記経糸および１組の対向する前記緯糸のそれぞれの間の距離が１．５ｍｍより小さく、
前記網孔を構成する前記経糸と緯糸の直径が０．５５ｍｍより小さく、
前記メッシュ織物の厚みが１．１ｍｍより小さく、
前記メッシュ織物は、前記支持フレームの向かい合う対応する２つの端部の間に懸掛される少なくとも２つの端部を有し、それにより相互位置決め構造を形成する、
ことを特徴とするメッシュ式衛生看護ベッド。
【請求項２】
抗引張強化層を前記メッシュ織物の端部又はせん断線に沿って備える、ことを特徴とする請求項１に記載のメッシュ式衛生看護ベッド。
【請求項３】
前記支持フレームの対応する２つの端部の間に懸掛される前記メッシュ織物の幅が前記支持フレームの対応する２つの端部の間の幅より１ｍｍ〜２０ｍｍ大きく、
前記メッシュ織物の前記網孔を構成する１組の対向する前記経糸および１組の対向する前記緯糸のそれぞれの間の距離が０．８ｍｍより小さく、
前記網孔を構成する前記経糸と緯糸の直径が０．２７ｍｍより小さく、
前記メッシュ織物の厚みが０．５５ｍｍより小さい、
ことを特徴とする請求項１又は２に記載のメッシュ式衛生看護ベッド。
【請求項４】
前記メッシュ織物の一部に、前記網孔を構成する１組の対向する前記経糸および１組の対向する前記緯糸のそれぞれの間の距離が０．３ｍｍより小さく、前記網孔を構成する前記経糸と緯糸の直径が０．０８ｍｍより小さく、厚みが０．１６ｍｍより小さい、メッシュ織物が嵌め込まれていることを特徴とする請求項１−３のいずれか１項に記載のメッシュ式衛生看護ベッド。
【請求項５】
前記メッシュ織物が前記経糸と緯糸が上下に交織される単層の平織り構造であり、前記網孔における前記経糸と緯糸の長さの誤差が公称値の±２０％以内であり、前記経糸と緯糸の間の角度が６０度より大きい、ことを特徴とする請求項１−４のいずれか１項に記載のメッシュ式衛生看護ベッド。
【請求項６】
前記メッシュ織物の前記経糸と緯糸の交叉部位の内の任意の隣接する２つの交叉部位において、一方は固定連接され、他の一方は固定連接されない、ことを特徴とする請求項１−５のいずれか１項に記載のメッシュ式衛生看護ベッド。
【請求項７】
前記支持フレームと懸掛関係を有する端部を含む前記メッシュ織物の端部の前記経糸或いは緯糸が密集して並べられ交織される、ことを特徴とする請求項１−６のいずれか１項に記載のメッシュ式衛生看護ベッド。
【請求項８】
前記メッシュ織物が、前記経糸又は緯糸の１方向又は両方向に沿って密集した経糸又は緯糸が帯を交織し、前記交織された帯の幅が３ｍｍより小さい、織り構造を有し、前記交織の帯は前記メッシュ織物上に櫛状又は格子状の縞で均一に分布している、ことを特徴とする請求項１−７のいずれか１項に記載のメッシュ式衛生看護ベッド。
【請求項９】
前記メッシュ織物が櫛状又は格子状の織物構造の縞をなす前記経糸と緯糸は、相互に固定連接される、ことを特徴とする請求項８に記載のメッシュ式衛生看護ベッド。
【請求項１０】
前記メッシュ織物の抗引張強化層は前記メッシュ織物を被覆する物質からなり、前記物質が被覆された部分の前記網孔の全部又は一部を塞ぐ、ことを特徴とする請求項２に記載のメッシュ式衛生看護ベッド。
【請求項１１】
前記抗引張強化層は、前記メッシュ織物上を被覆しかつ固定する、或いは前記メッシュ織物を被覆しかつ固定する物質上を覆いかつ固定する、柔軟な織物、フィルム、又は不織布の内の１つを含む、ことを特徴とする請求項２又は１０に記載のメッシュ式衛生看護ベッド。
【請求項１２】
前記メッシュ織物と前記支持フレームが互いに位置決めをする対応する端部又は強化端部に固定端部を有し、前記固定端部は前記端部又は強化端部に囲まれて形成されるスリーブと前記スリーブ内を突き抜けて配置される円柱状ピンを有し、前記支持フレームは前記スリーブと前記円柱状ピンを収納する空洞と、前記メッシュ織物が通り抜けるための長溝とを有する、ことを特徴とする請求項１又は２に記載のメッシュ式衛生看護ベッド。
【請求項１３】
前記メッシュ織物は強化端部上に剛性の長い帯を複合し、前記長い帯の幅は前記強化端部の幅より小さく、前記強化端部と前記長い帯は複合して固定端部を形成し、前記固定端部は懸掛孔を備え、前記懸掛孔に対応する前記支持フレーム上に懸掛柱を備え、前記固定端部上の前記懸掛孔と前記支持フレーム上の前記懸掛柱により取り外し可能な位置決め構造を形成し、人体の体重を受ける時に隣り合う２つの前記懸掛孔の間の前記固定端部が弾性湾曲して形成する垂直変位が５ｍｍより小さい、ことを特徴とする請求項２に記載のメッシュ式衛生看護ベッド。
【請求項１４】
前記メッシュ織物の端部又は強化端部が接着剤により前記支持フレーム上に直接固定される、ことを特徴とする請求項１又は３に記載のメッシュ式衛生看護ベッド。
【請求項１５】
前記メッシュ織物と前記支持フレームが互いに位置決めをする端部又は強化端部に固定端部を備え、前記固定端部は円柱状ピン上に固定された端部又は強化端部であり、前記支持フレームは前記固定端部を収納可能な空洞と前記メッシュ織物が通過するための長い溝を備える、ことを特徴とする請求項１又は２に記載のメッシュ式衛生看護ベッド。
【請求項１６】
前記支持フレームは対応する２つの長い端部と対応する２つの短い端部とが囲んで形成する矩形フレームであって、前記２つの長い端部或いは前記２つの短い端部の距離が調整可能であり、調整範囲は前記長い端部が６ｃｍ以下、前記短い端部が９ｃｍ以下であり、調整時の運動方向は前記２つの長い端部が同時に反対方向に移動し、前記２つの短い端部がそれぞれ独立して移動可能であり、前記移動は任意の位置で固定され停止可能である、ことを特徴とする請求項１２に記載のメッシュ式衛生看護ベッド。
【請求項１７】
前記支持フレームは平行な２つの長い端部と平行な２つの短い端部とが囲んで形成する矩形フレームであって、前記円柱状ピンを含む前記固定端部は、前記支持フレームの前記平行な２つの長い端部の前記空洞内で同時に反対方向に向かって６ｃｍ以内の円周長を円周方向に沿って運動可能であり、そして前記運動は任意の位置で固定され停止可能である、ことを特徴とする請求項１５に記載のメッシュ式衛生看護ベッド。
【請求項１８】
前記メッシュ織物と前記支持フレームが互いに位置決めする端部は、人体の臀部の曲線に対応して上下に起伏する襞取り縫いを有し、そして前記襞取り縫いは前記抗引張強化層内において固定される、ことを特徴とする請求項２に記載のメッシュ式衛生看護ベッド。
【請求項１９】
前記メッシュ式衛生看護ベッドに、人体の２本の大腿の間の肛門近辺の位置に対応して多くの排出孔が配列して形成する１つの排泄物排出部位を備える、ことを特徴とする請求項１−１８のいずれか１項に記載のメッシュ式衛生看護ベッド。
【発明の詳細な説明】
【技術分野】
【０００１】
本発明は医療機械に関し、特に長期に寝たきりの病人が使用するメッシュ式衛生看護ベッドに関する。
【背景技術】
【０００２】
名前が示すように、衛生看護ベッドは病人が体を横にして休息するのに使用し、とくに寝たきりの病人に対し皮膚を保護し褥瘡の発生を防止し、あるいは火傷患者に対しその傷口を保護する一種のベッドである。特許番号ＣＮ０３２７１４５６．４で公開される衛生看護ベッドは、そのベッド本体が防水繊維で織られた網孔を有するメッシュ織物であって、そのメッシュ織物の必要条件は網孔の直径又は対角線の長さが交織の形成に使用される経糸及び緯糸の直径以上であり、かつ経糸及び緯糸の直径の３０倍より小さいことである。この発明は経糸及び緯糸と網孔が比例するベッドを開示しているが、その他の公知技術は経糸及び緯糸が細く、網孔が小さいメッシュ織物から作られるベッドの情報と構造特性について関係していない。このため公知の従来技術の懸掛メッシュ式ベッドは長期入院患者には使用できない。
【０００３】
本発明は特許文献１及び特許文献２の延長継続発明である。
【先行技術文献】
【特許文献】
【０００４】
【特許文献１】中国特許ＣＮ０３２７１４５６．４
【特許文献２】欧州特許Ｅ．Ｐ．１６６１５４２
【発明の概要】
【０００５】
本発明の目的は、既存技術に対してメッシュ織物を構成する経糸及び緯糸の有用なスクリーニングを提供し、さらに経糸及び緯糸に対する革新的組合せの衛生看護ベッドを提供することである。
本発明の１実施形態によれば、メッシュ式衛生看護ベッドであって、メッシュ織物と支持フレームを有し、上記メッシュ織物は経糸と緯糸の交織による網孔を有する織物であって、その経糸と緯糸の交叉部位は相対して固定連接する衛生看護ベッドにおいて、
メッシュ織物の網孔の直径または網孔の内接円の直径（厳密には網孔を構成する１組の対向する前記経糸および１組の対向する前記緯糸のそれぞれの間の距離）が、網孔を構成する前記経糸と緯糸の直径の２〜６倍であり、
１つの網孔ユニットの開口部の面積がその網孔ユニットの全体面積の３５％−７８％であり、  
メッシュ織物の網孔の直径または網孔の内接円の直径（厳密には網孔を構成する１組の対向する前記経糸および１組の対向する前記緯糸のそれぞれの間の距離）が１．５ｍｍより小さく、
網孔を構成する経糸と緯糸の直径が０．５５ｍｍより小さく、
メッシュ織物の厚みが１．１ｍｍより小さく、
メッシュ織物は、支持フレームの向かい合う対応する２つの端部の間に懸掛される少なくとも２つの端部を有し、それにより相互位置決め構造を形成する、
ことを特徴とするメッシュ式衛生看護ベッド、が提供される。
【０００６】
このメッシュ織物の端部又はせん断部分に沿って抗引張強化層を備える。この支持フレームの対応する２つの端部の間に懸けられるメッシュ織物の幅が支持フレームの対応する２つの端部の間の幅より１ｍｍ−２０ｍｍ大きく、メッシュ織物の網孔の直径または網孔の内接円の直径が０．８ｍｍより小さく、網孔を構成する経糸と緯糸の直径が０．２７ｍｍより小さく、メッシュ織物の厚みが０．５５ｍｍより小さい。
【０００７】
メッシュ織物の一部に、網孔の直径または網孔の内接円の直径が０．３ｍｍより小さく、網孔を構成する経糸と緯糸の直径が０．０８ｍｍより小さく、厚みが０．１６ｍｍより小さい、メッシュ織物が嵌め込まれている。
メッシュ織物が単層で前記経糸と緯糸が上下に交叉する平織り構造であり、網孔を構成する経糸と緯糸の長さの公称値の誤差が±２０％以内であり、経糸と緯糸の間の角度が６０度より大きい。
メッシュ織物の経糸と緯糸の交叉部位の内任意の隣接する２つの交叉部位において、一方は固定連接され、もう一方は固定連接されない。
【０００８】
メッシュ織物の端部、特に支持フレームと懸掛関係を有する端部の経糸或いは緯糸が密集して並べられ交織される。
メッシュ織物が、経糸又は緯糸の１方向又は両方向に沿って密集した経糸又は緯糸が交織した帯を有し、その帯の幅は３ｍｍより小さい織り構造であり、その交織の帯はメッシュ織物上に櫛状又は格子状の縞で均一に分布している。
メッシュ織物が櫛状又は格子状の織物構造の縞をなす前記経糸と緯糸は、相互に固定連接される。
メッシュ織物の抗引張強化層はメッシュ織物を被覆する物質からなり、物質が被覆された部分の網孔の全部又は一部を塞ぐ。
【０００９】
抗引張強化層は、メッシュ織物上を被覆しかつ固定する、或いはメッシュ織物を被覆しかつ固定する物質上を覆いかつ固定する、柔軟な織物、フィルム、又は不織布の内の１つを含む。
メッシュ織物と支持フレームが互いに位置決めをする端部又は強化端部に固定端部を有し、その固定端部は端部又は強化端部に囲まれて形成されるスリーブとスリーブ内を突き抜けて配置される円柱状ピンを有し、支持フレームはスリーブと円柱状ピンを収納する空洞と、メッシュ織物が通り抜けるための長溝を有する。
メッシュ織物は強化端部上に剛性の長い帯を複合し、その長い帯の幅は強化端部の幅より小さく、強化端部と長い帯は複合して固定端部を形成し、その固定端部は懸掛孔を備え、その対応する支持フレーム上に懸掛柱を備え、固定端部上の懸掛孔と支持フレーム上の懸掛柱により取り外し可能な位置決め構造を形成し、人体の体重を受ける時に隣り合う２つの懸掛孔の間の固定端部が弾性湾曲して形成する垂直変位が５ｍｍより小さい。
メッシュ織物の端部又は強化端部が接着剤により支持フレーム上に直接固定される。  
【００１０】
メッシュ織物と支持フレームが互いに位置決めをする端部又は強化端部に固定端部を備え、その固定端部は円柱状ピン上に固定された端部又は強化端部であり、支持フレームは固定端部を収納可能な空洞とメッシュ織物が通過するための長い溝を備える。
支持フレームは対応する２つの長い端部と対応する２つの短い端部とが囲んで形成する矩形フレームであって、２つの長い端部或いは２つの短い端部の距離が調整可能であり、調整範囲は長い端部が６ｃｍ以下、短い端部が９ｃｍ以下であり、調整時の運動方向は２つの長い端部が同時に反対方向に移動し、２つの短い端部がそれぞれ独立して移動可能であり、この移動は任意の位置で固定され停止可能である。
支持フレームは平行な２つの長い端部と平行な２つの短い端部とが囲んで形成する矩形フレームであって、円柱状ピンを含む固定端部は、支持フレームの平行な２つの長い端部の空洞内で同時に反対方向に向かって６ｃｍ以内の円周長を円周方向に沿って運動可能であり、そしてこの運動は任意の位置で固定され停止可能である。
メッシュ織物と支持フレームが互いに位置決めする端部は、人体の臀部の曲線に対応して上下に起伏する襞取り縫いを有し、そしてその襞取り縫いは強化端部内において固定される。
【００１１】
本発明のメッシュ織物は精密な経糸及び緯糸の交織を採用して出来た網孔を有する織物であり、端部は強化層と支持フレームによって互いに固定され、織物の経糸及び緯糸が皮膚を損傷しないことを保証でき、皮膚が良好な通気性を保持でき、長期の褥瘡を困難にし、また火傷の患者に良好な皮膚の復元環境を創出する。
【図面の簡単な説明】
【００１２】
以下では特定の図の例と組合せて本発明をさらに説明する。
【図１】本発明のメッシュ式衛生看護ベッドの概略斜視図である。
【図２】本発明の襞取り縫いを有するメッシュ織物の概略図である。
【図３】本発明のメッシュ織物の一部の概略図である。
【図４】本発明のメッシュ織物の別の一部の概略図である。
【図５】本発明のメッシュ織物のさらに別の一部の概略図である。
【図６】本発明のメッシュ織物の強化層の部分断面図である。
【００１３】
（符号の説明）
１：支持フレーム      １１：柱状空洞          １２：長い溝
２：メッシュ織物          ２１：経糸、緯糸    ２２：網孔
２３：排泄口          ２４：交織の帯      ２５：襞取り縫い
３：強化層            ３１：カバー部位    ３２：半カバー部位
３３：柔軟性織物        ４：固定端部      ４１：スリーブ
４２：円柱状ピン      ４３：細長い部材      ４４：懸掛孔  
【発明を実施するための形態】
【００１４】
図１を参照して、本発明の１実施形態のメッシュ式衛生看護ベッドは、支持フレーム１と、支持フレーム１上に懸掛するメッシュ織物２とからなり、支持フレーム１によって一般のベッドの枠組み上に、又は温度湿度調整機能を有する保温式看護ベッドの枠組み上に配置され、或いは支持フレームの４隅にベッドの脚を直接装備して病人用簡易ベッドを形成する。
【００１５】
支持フレーム１の２つの対応する端部の間のメッシュ織物２の幅は、２つの対向する端部間の幅より１ｍｍ−２０ｍｍ大きい。
【００１６】
人の体重を乗せた時に力の分解を改善するため、懸掛時のメッシュ織物はすこし凹面のゆるんだ状態を示すべきであり、緊張状態を示すべきではない。それによりメッシュ織物２は塑性の引き伸ばしあるいは断裂を起こさない。
【００１７】
メッシュ織物２の好適な網孔の直径又は内接円の直径は０．８ｍｍより小さく、網孔を構成する経糸、緯糸の直径は０．２７ｍｍより小さく、メッシュ織物２の厚みは０．５５ｍｍより小さい。
【００１８】
メッシュ織物２の一部には網孔の直径または網孔の内接円の直径が０．３ｍｍより小さく、網孔を構成する経糸と緯糸の直径が０．０８ｍｍより小さく、厚みが０．１６ｍｍより小さいメッシュ織物２が嵌め込まれており、その嵌め込み区域はより精密であり、患者の皮膚の損傷箇所に特別に対応できる。詳細には、はめ込み位置は患者自身が横になって圧力を加える傷口の場所に相当し、嵌め込み面積は傷口の面積より大きい。看護士はメッシュ織物２の網孔を介して傷口に洗浄液又は薬液を噴射できる。
【００１９】
また、人体の臀部に対応する処に排泄口２３を開設することができ、その排泄口周辺は同様に強化層３を備え、端部のメッシュ織物２を補強し、それによりひきつり又は部分断裂を防止する。
【００２０】
早産或いは母乳育児期の乳児或いは類似の乳児が肛門から排出する非定形の排泄物をメッシュ式ベッドから排出させるため、人体の臀部に、排泄口２３を設けず、メッシュ式ベッドの、人体の２本の大腿の間の肛門近辺の位置に対応して、多くの排出孔が配列して形成する１つの排泄物排出部位を設け、排出部位の面積は１−３０平方センチメートルであり、直径１−５ミリメートルの孔から構成される。排出孔と排出孔の間の間隔は２―３０までの経糸緯糸の直径に等しく、排出部位の経糸緯糸は連続的で、断裂がない。経糸緯糸と排出孔の位置、形状を変えないようにさせるため、排出部位の経糸緯糸は柔軟な物質で接着される。排泄物の清掃を容易にするため、メッシュ式ベッドの排出部位の正面と背面の非排出部分に抗粘着物質を被覆する。
【００２１】
図２を参照してメッシュ織物２と支持フレーム１が互いに端部を位置決めし、人体臀部の曲線に対応して上下に起伏のある波状のひだとり縫い２５を備え、このひだとり縫い２５は上記の強化層３内において固定されている。
【００２２】
図３を参照して、メッシュ織物２は経糸と緯糸が交織して構成される網孔２２を有する織物であって、その経糸２１と緯糸２１の交叉する部分は互いに固定連接し、接着剤により固定し、或いは加熱成形できる。接着剤の固定とは、メッシュ織物２の経糸と緯糸の交叉部分の内任意の２つの交叉部分において、必ず１つは固定連接され、一方で図３の破線部分のように１つは固定連接されないで連接部を構成することを意味する。この種の連接方式はメッシュ織物の表面の滑らかさを確保することができ、結合剤が粘りついて汚されることがない。
【００２３】
機器を使用して織る多くのパターンの中で、正方形の網孔の平織りは本発明の最も好適な選択肢である。正方形の網孔の平織りはメッシュ織物の抗引張性、洗浄の容易性、網孔の開設、織物の厚みなどの面で最良の効果を得ることができる。しかし実際の製造工程の必要上、下記の範囲の値が望ましい。メッシュ織物２は単層であり、経糸と緯糸が上下に交織する構造であり、網孔２２を構成する経糸と緯糸の長さの誤差は公称値の±２０％以内であり、網孔２２を構成する経糸と緯糸の為す角度は６０度より大きい。上記の１つの網孔２２ユニットとは、１つの開口の孔とそれを取り巻く経糸と緯糸２１により構成されるものを意味する。
【００２４】
図４を参照して、メッシュ織物２の端部又は切り取り線部分沿いに抗引張強化層３が取り付けられ、その強化層３と支持フレーム１により相互位置決め構造が形成されている。ここで言う端部には周囲との境の端部の他に、せん断端部、開口部の端部を含む。また、メッシュ織物２の端部、特に支持フレーム１と懸掛関係にある端部では、経糸２１又は緯糸２１は密集して配列されて交織し、端部の抗引張力を高めている。
【００２５】
図５を参照してこのメッシュ織物は、経糸又は緯糸の一方向又は両方向に、密集した経糸２１又は緯糸２１が帯２４を交織し、その交織の帯２４の幅が３ｍｍより小さい、織り構造を有し、その交織の帯２４はメッシュ織物上に櫛状又は格子状の縞で均一に分布し、織物の耐荷重能力、抗引張特性と経糸、緯糸の位置決め性能を大幅に向上できる。メッシュ織物２上に櫛状又は格子状の織物構造を呈する交織の帯２４の経糸、緯糸は相互に固定連接する。連接の１つの方法は、メッシュ織物２の背面の縞上に接着剤を印刷する方法である。
【００２６】
図４では、強化層３はメッシュ織物２上を被覆する材料からなり、材料が全面的又は部分的に被覆部分の網孔２２を塞ぎ、正確には、端部は被覆が最も厚く、図４のカバー部位３１に示すように完全に網孔を塞ぐ；しかし織物の中心に向かって徐々に薄く変化し網孔の一部が塞がれた半カバー部位３２を形成し、また経糸と緯糸の交叉部分には強化用材料が被覆されている。全部閉塞から一部閉塞へ、僅かな閉塞へと徐々に減少、或いは階段的減少過程を示し、抗引張強化層と非抗引張強化層の境界において強度が急変する現象を防止する。
【００２７】
被覆に用いる材料は柔軟な構造用接着剤であり、構造用接着剤とは剪断強度、引張強度、剥離強度、非均一破断強度、等の指標が通常の接着剤より優れている接着剤をいう。強化層３は、メッシュ織物上を覆いかつ固定する、或いはメッシュ織物を被覆する材料の上を覆いかつ固定する、柔軟織物３３、フィルム、或いは不織布から選択される１種類を含み、また、片側または両面全てが覆われた柔軟織物３３でよく、それにより強度を向上させることができ、それによって支持フレーム１と相互に位置決めする。
【００２８】
再び図１と図６を参照して、メッシュ織物２と支持フレーム１との間の位置決めは、直接接着による固定位置決め、分解可能な構造を採用可能であり、それにより交換又は分解洗浄が容易である。具体方法は以下の通り：  
【００２９】
一：メッシュ織物２は、少なくとも支持フレーム１と互いに位置決めする対応する端部強化層３上に固定端部４を備える。固定端部４は強化層３が囲んで形成するスリーブ４１とスリーブ内を突き抜けて配置される円柱状ピン４２を有し、支持フレーム１は前記スリーブ４１と前記円柱状ピン４２を収納する柱状空洞１１と、メッシュ織物２が通り抜けるための長い溝１２を有する。  
【００３０】
本発明においては、円柱状ピン４２を取り出し後、メッシュ織物２は支持フレーム１とすぐに分離可能であり、メッシュ織物２を部分的に使用するベッドに適している。詳細には、図１のベッドのメッシュ織物２は、メッシュ織物２全体を構成するが、それに加えて又局部的に使用されるメッシュ織物２であってもよく、それは患者の臀部に対して使用し大小便の自動清掃に便利であり、そして他の部分は普通の織物を使用することが可能であり、一緒に組み立てて使用する。    
【００３１】
二、メッシュ織物２は少なくとも支持フレーム１と互いに位置決めする対応する端部の強化層３上に固定端部４を備える。この固定端部４は円柱状ピン４２上に固着する強化層３を意味し、支持フレーム１は円柱状ピン４２を収納する空洞１１と、メッシュ織物２が通り抜ける長い溝１２からなる。これは方法一の変形であり、円柱状ピン４２と強化層３は互いに固定し、全体がより強い。  
【００３２】
三、固定端部４は、図４のように、強化層３上に複合する細長い部材４３を意味し、その細長い部材４３の幅は強化層３の幅より小さく、両者が複合して形成する固定端部４は、固定端部４上に懸掛孔を備え、対応する支持フレーム１上に懸掛柱を備え、固定端部４上の懸掛孔と支持フレーム１上の懸掛柱により分解可能な位置決め構造を形成し、人体の体重を受ける時に隣り合う２つの懸掛孔の間の固定端部が弾性湾曲により形成する垂直変位が５ｍｍより小さい。
例えば、細長い部材４３は均等に開設された懸掛孔４４を備え、支持フレーム１上に対応して設計された、懸掛孔４４に挿入可能な懸掛柱を備え、両者の組合せにより位置決めを形成し、分解が容易であり、交換操作もまた簡単である。
【００３３】
四、最も簡単な方法は、メッシュ織物２の端部強化層３を接着剤によって支持フレーム１上に直接固定し、相互間の位置決め関係を形成する方法である。この方法はメッシュ織物の交換作業が比較的難しいが、構造は最も単純である。
【００３４】
支持フレーム１上に懸掛するメッシュ織物２の緊張度を適切に調節するため、支持フレーム１は対向する２つの長い端部と対向する２つの短い端部が囲んで形成する矩形フレームであり、２つの長い端部又は２つの短い端部の距離が調節可能であり、調整範囲は：長い端部は６ｃｍ以下で、短い端部は９ｃｍ以下で、調節時の運動方向は２つの長い端部が同時に反対方向に移動し、２つの短い端部はそれぞれ独立して移動可能であり、この移動は任意の位置において全て固定可能である。
【００３５】
或いは、支持フレーム１は、平行な２つの長い端部と平行な２つの短い端部が囲んで形成する矩形フレームであり、円柱状ピン４２を含む固定端部は支持フレーム１の２つの平行な長い端部の空洞１１内で、同時に反対方向に向かって６ｃｍ以内の円周長を円周方向に沿って運動可能であり、そしてこの運動は任意の位置で固定可能である。
【００３６】
要約すると、本発明のメッシュ式ベッド、メッシュ織物２は２つの対応する長い端部上に配置される；実施例では、メッシュ式ベッドの長い端部が人体の坐臥状態の湾曲曲線に従って幾つかのセクションに分割可能であり、ヒンジにより連結して坐臥併用型に形成できる。
【図１】
0005926729.tif 000002
【図２】
0005926729.tif 000003
【図３】
0005926729.tif 000004
【図４】
0005926729.tif 000005
【図５】
0005926729.tif 000006
【図６】
0005926729.tif 000007